(57)【要約】【課題】  起泡性に優れるとともに、洗浄時乃至洗浄後に皮膚のつっぱり感がなく、しかも使用後はさっぱりとした使用感を得ることができる洗浄剤組成物並びに皮膚用洗浄剤を提供すること。【解決手段】  高級脂肪酸塩と苦汁とを含有し、所望により、両性界面活性剤及びノニオン界面活性剤を含有する洗浄剤組成物、並びに該洗浄剤組成物を含有する皮膚用洗浄剤とする。前記両性界面活性剤は、ベタイン型両性界面活性剤を用いるのが好ましく、また、前記ノニオン界面活性剤は、グリセリン脂肪酸エステルを用いるのが好ましい。【選択図】  なし【特許請求の範囲】
【請求項１】
高級脂肪酸塩と苦汁とを含有することを特徴とする洗浄剤組成物。
【請求項２】
両性界面活性剤を含有することを特徴とする請求項１に記載の洗浄剤組成物。
【請求項３】
両性界面活性剤がベタイン型両性界面活性剤であることを特徴とする請求項２に記載の洗浄剤組成物。
【請求項４】
ノニオン界面活性剤を含有することを特徴とする請求項１〜３のいずれかに記載の洗浄剤組成物。
【請求項５】
ノニオン界面活性剤が、グリセリン脂肪酸エステルである請求項４に記載の洗浄剤組成物。
【請求項６】
半固形状であることを特徴とする請求項１〜５のいずれかに記載の洗浄剤組成物。
【請求項７】
請求項１〜６に記載の洗浄剤組成物からなることを特徴とする皮膚用洗浄剤。
【発明の詳細な説明】
【技術分野】
【０００１】
本発明は、洗浄剤組成物並びに皮膚用洗浄剤に関し、詳しくは、起泡性に優れるとともに、洗浄時乃至洗浄後に皮膚のつっぱり感がなく、しかも使用後はさっぱりとした使用感を得ることができる洗浄剤組成物並びに皮膚用洗浄剤に関する。
【背景技術】
【０００２】
従来より、洗浄剤の主成分として高級脂肪酸塩であるセッケンが広く用いられている。この高級脂肪酸塩の洗浄作用は、高級脂肪酸塩の水溶液が汚れと皮膚の間に浸透することにより汚れの付着力を弱めて落ちやすくし、除去された汚れを高級脂肪酸塩分子によって溶液中に乳化分散させ、又は、高級脂肪酸塩のミセル中に可溶化させることにより達成される。また、種々の汚れを除去するために、高級脂肪酸塩の外、各種界面活性剤を更に配合する試みがなされている（例えば、特許文献１参照）。
【０００３】
しかしながら、高級脂肪酸塩に各種界面活性剤を配合し、洗浄力ないしは起泡性を高めるためにそれら配合量を増加させると、その洗浄作用が皮膚上の皮脂を乳化もしくは可溶化することにより達成されるものであることから、過度の洗浄によっては、洗浄後の肌荒れやつっぱり感の要因となり、好ましくないという欠点を有していた。
【０００４】
一方、苦汁を用いた洗浄剤としては、キトサンの塩及び苦汁を含有するシャンプーが報告されている（特許文献２参照）。しかしながら、前記シャンプーは、毛髪の保湿・保護効果に関するものであって、皮膚用の洗浄剤に適用すると、皮膚洗浄中乃至洗浄後の皮膚刺激性やつっぱり感などの使用感に満足できるものではなかった。また、洗浄作用を高級脂肪酸塩により発揮させるものでもない。
【０００５】
【特許文献１】特開２００２−１６７３２４号公報
【特許文献２】特開２００２−２４１２３９号公報（段落番号〔００１７〕）
【発明の開示】
【発明が解決しようとする課題】
【０００６】
本発明は、上記従来技術の問題点に鑑みてなされたものであって、高級脂肪酸塩を用いた洗浄剤において、起泡性に優れるとともに、洗浄時乃至洗浄後に皮膚のつっぱり感がなく、しかも使用後はさっぱりとした使用感を得ることができる洗浄剤組成物並びに皮膚用洗浄剤を提供することを課題とする。
【課題を解決するための手段】
【０００７】
すなわち、本発明は、
〔１〕  高級脂肪酸塩と苦汁とを含有することを特徴とする洗浄剤組成物、
〔２〕  両性界面活性剤を含有することを特徴とする前記〔１〕に記載の洗浄剤組成物、
〔３〕  両性界面活性剤がベタイン型両性界面活性剤であることを特徴とする前記〔２〕に記載の洗浄剤組成物、
〔４〕  ノニオン界面活性剤を含有することを特徴とする前記〔１〕〜〔３〕のいずれかに記載の洗浄剤組成物、
〔５〕  ノニオン界面活性剤が、グリセリン脂肪酸エステルである前記〔４〕に記載の洗浄剤組成物、
〔６〕  半固形状であることを特徴とする前記〔１〕〜〔５〕のいずれかに記載の洗浄剤組成物、及び
〔７〕  前記〔１〕〜〔６〕に記載の洗浄剤組成物からなることを特徴とする皮膚用洗浄剤、
に関する。
【発明の効果】
【０００８】
本発明によれば、高級脂肪酸塩を用いた洗浄剤において、起泡性に優れるとともに、洗浄時乃至洗浄後に皮膚のつっぱり感がなく、しかも使用後はさっぱりとした使用感を得ることができる洗浄剤組成物並びに皮膚用洗浄剤を提供することができる。
【発明を実施するための最良の形態】
【０００９】
本発明の洗浄剤組成物には、必須成分として、高級脂肪酸塩と苦汁とを含有する。
【００１０】
高級脂肪酸塩に用いられる高級脂肪酸としては、化粧品に配合されるものであれば特に限定されないが、具体的には、ラウリン酸、ミリスチン酸、パルミチン酸、ステアリン酸、オレイン酸、ベヘニン酸等の炭素数１２〜２２の高級脂肪酸、オリーブ油、ヤシ油、パーム油、綿実油等の植物性油脂、魚油、牛脂等の動物性油脂等を例示することができ、これらの１種又は２種以上を用いることができる。
【００１１】
高級脂肪酸塩の塩としては、上記高級脂肪酸を水酸化ナトリウム、水酸化カリウム、炭酸ナトリウム、炭酸カリウム、モノエタノールアミン、ジエタノールアミン、トリエタノールアミン、トリメチルアミン、トリエチルアミン等の無機又は有機アルカリ剤でケン化、又は中和して得られる塩であり、高級脂肪酸塩の１種を単独で、又は２種以上を混合して使用することができる。特に、上記ケン化又は中和により得られた塩が炭素数１２〜２２の高級脂肪酸塩であれば、より望ましく使用することができる。また、使用するアルカリ剤としては、材料入手の容易性及び取り扱いの簡便性から水酸化ナトリウム、水酸化カリウムを用いることが好ましい。
【００１２】
尚、本発明の洗浄剤組成物中に高級脂肪酸塩を配合する場合、高級脂肪酸とアルカリ剤を予め高級脂肪酸塩として調製後に配合するか、或いは該組成物中で混合して高級脂肪酸塩としても良い。
【００１３】
高級脂肪酸塩の含有量は、本発明の効果を発揮すれば特に限定されないが、高級脂肪酸として組成物中５〜４０重量％とするのが好ましく、１０〜３５重量％とするのがより好ましい。５重量％未満の含有量では、起泡性や洗浄効果に劣るために、また、４０重量％を超えて含有すると、泡立て時の水馴染みに劣るうえ、使用後のつっぱり感が生じる場合があるために、いずれの場合も好ましくない。
【００１４】
苦汁とは、海水を煮詰めて製塩した後に残る母液であって、豆腐製造の際に豆乳の凝固剤として広く使用されており、塩化ナトリウム、塩化カリウム、塩化マグネシウム、硫酸マグネシウム、塩化カルシウム等のミネラル成分が含有される。本発明に用いられる苦汁は、前記、塩化ナトリウム、塩化カリウム、塩化マグネシウム等のミネラル成分を含有すれば、膜法、蒸発法等のいずれの製造方法で得られるものであっても良く、また、市販の苦汁をそのまま用いても良い。
【００１５】
苦汁の含有量は、本発明の効果を発揮すれば特に限定されないが、固形成分として組成物中０．００１〜１０重量％とするのが好ましく、０．０１〜３重量％とするのがより好ましい。０．００１重量％未満の含有量では、皮膚への保湿効果が期待できないうえ、洗浄後のさっぱり感に劣るために、また、１０重量％を超えて含有すると、起泡性及び洗浄効果に劣るために、いずれの場合も好ましくない。
【００１６】
本発明の洗浄剤組成物には、苦汁が消泡性にはたらくことから、起泡性を良好にするために両性界面活性剤を含有することができる。用いられる両性界面活性剤としては、例えば、アルキルグリシン塩、カルボキシメチルグリシン塩、Ｎ−アシルアミノエチル−Ｎ−２−ヒドロキシエチルグリシン塩等のグリシン型両性界面活性剤；アルキルアミノプロピオン酸塩、アルキルイミノジプロピオン酸塩等のアミノプロピオン酸型両性界面活性剤；ヤシ油脂肪酸アミドプロピルベタイン、パーム油脂肪酸アミドプロピルベタイン、ラウリン酸アミドプロピルベタイン、リシノレイン酸アミドプロピルベタイン等のアミドプロピルベタイン型界面活性剤；ラウリルジメチルアミノ酢酸ベタイン、ヤシ油アルキルジメチルアミノ酢酸ベタイン、ステアリルジメチルアミノ酢酸ベタイン、ステアリルジヒドロキシエチルベタイン等のアミノ酢酸ベタイン型両性界面活性剤；Ｎ−アルキル−Ｎ,Ｎ−ジメチルアンモニウム−Ｎ−プロピルスルホン酸塩、Ｎ−アルキル−Ｎ,Ｎ−ジメチルアンモニウム−Ｎ−（２−ヒドロキシプロピル）スルホン酸塩、Ｎ−脂肪酸アミドプロピル−Ｎ,Ｎ−ジメチルアンモニウム−Ｎ−（２−ヒドロキシプロピル）スルホン酸塩等のスルフォベタイン型両性界面活性剤；２−アルキル−Ｎ−カルボキシメチル−Ｎ−ヒドロキシエチルイミダゾリニウムベタイン、ウンデシルヒドロキシエチルイミダゾリニウムベタインナトリウム、ウンデシル−Ｎ−ヒドロキシエチル−Ｎ−カルボキシメチルイミダゾリニウムベタイン等のイミダゾリニウム型ベタイン型両性界面活性剤等を例示することができ、これらの１種を単独で、又は２種以上を混合して用いることもできる。これらのうち、アミドプロピルベタイン型界面活性剤、アミノ酢酸ベタイン型両性界面活性剤、スルフォベタイン型両性界面活性剤、イミダゾリニウム型ベタイン型両性界面活性剤等のベタイン型両性界面活性剤を用いるのが好ましく、アミドプロピルベタイン型界面活性剤を用いるのがより好ましい。
【００１７】
両性界面活性剤の含有量は、本発明の効果を発揮すれば特に限定されないが、組成物中０．１〜５重量％とするのが好ましく、０．５〜３重量％とするのがより好ましい。０．１重量％未満の含有量では、起泡性に劣る場合があるうえ、つっぱり感が生じるために、また、５重量％を超えて含有すると、使用時にぬるつきが生じるうえ、半固形状の製剤とすると、製剤安定性に劣る場合があるために、いずれの場合も好ましくない。
【００１８】
また、本発明の洗浄剤組成物には、粘度調節のためにノニオン界面活性剤を含有することができる。用いられるノニオン界面活性剤としては、例えば、ポリオキシエチレンラウリルエーテル、ポリオキシエチレンセチルエーテル、ポリオキシエチレンステアリルエーテル等のポリオキシエチレンアルキルエーテル；ポリオキシエチレンポリオキシプロピレンラウリルエーテル、ポリオキシエチレンポリオキシプロピレンステアリルエーテル、ポリオキシエチレンポリオキシプロピレンデシルテトラデシルエーテル等のポリオキシエチレンポリオキシプロピレンアルキルエーテル；ポリオキシエチレンオクチルフェニルエーテル、ポリオキシエチレンノニルフェニルエーテル等のポリオキシエチレンアルキルフェニルエーテル；モノラウリン酸ソルビタン、モノステアリン酸ソルビタン、モノオレイン酸ソルビタン等のソルビタン脂肪酸エステル；モノラウリン酸ポリオキシエチレンソルビタン、モノステアリン酸ポリオキシエチレンソルビタン、トリオレイン酸ポリオキシエチレンソルビタン等のポリオキシエチレンソルビタン脂肪酸エステル；ラウリン酸グリセリン、ミリスチン酸グリセリル、ステアリン酸グリセリル、イソステアリン酸グリセリル、ベヘン酸グリセリル等のグリセリン脂肪酸エステル；モノステアリン酸ジグリセリル、モノオレイン酸デカグリセリル等のポリグリセリン脂肪酸エステル；モノラウリン酸ポリエチレングリコール、モノステアリン酸ポリエチレングリコール等のポリオキシエチレン脂肪酸；ヒマシ油；ポリオキシエチレンヒマシ油；硬化ヒマシ油；ポリオキシエチレン硬化ヒマシ油；ポリオキシエチレンラノリン；ポリオキシエチレン還元ラノリン等を例示することができ、これらの１種を単独で、又は２種以上を混合して用いることもできる。これらのうち、洗浄剤組成物を半固形状とする観点から、グリセリン脂肪酸エステルを用いるのが好ましい。尚、本発明の半固形状とは、常温で流動性がなく、結晶性でもない状態のものを意味し、ペースト状や指の押圧などの応力により変形する固体状のものも含まれる。
【００１９】
ノニオン界面活性剤の含有量は、本発明の効果を発揮すれば特に限定されないが、組成物中０．１〜５重量％とするのが好ましく、０．５〜３重量％とするのがより好ましい。０．１重量％未満の含有量では、粘度調整効果が発揮されないために、また、５重量％を超えて含有すると、起泡力が極端に低下するために、いずれの場合も好ましくない。
【００２０】
本発明に係る洗浄剤組成物には、本発明の目的を損なわない範囲であれば、上記に記した成分の他、グリセリン、プロピレングリコール等の多価アルコール、グリチルリチン、アラントイン、トリクロサン、ビタミン類等の薬剤、動物及び植物抽出エキス、酸化防止剤、パール化剤、着色剤、スクラブ剤、シリコーン類、キレート剤、防腐剤、各種香料、精製水などを目的に応じて適宜配合してもよい。
【００２１】
尚、本発明に係る洗浄剤組成物は、洗顔剤、ハンドソープ、ボディーシャンプー、シャンプーなどに用いることができ、皮膚刺激性や皮膚のつっぱり感を抑制できることから、洗顔フォーム、ハンドソープ、ボディーシャンプーなどの皮膚用洗浄剤に好ましく用いることができる。また、半固形状の洗浄剤組成物にすることにより、洗顔剤に好適に用いることができる。
【実施例】
【００２２】
以下、本発明を実施例に基づいて更に詳細に説明するが、本発明はかかる実施例のみに限定されるものではない。尚、配合量は特記しない限り、重量％である。
【００２３】
（試料の調製）
表１〜２に記した組成に従い、定法により実施例及び比較例の各試料を調製した。尚、苦汁液は、商品名  業務用にがり−Ｃ（赤穂化成社製）を、モノステアリン酸グリセリンは、商品名  ＭＧＳ−ＢＶ（日光ケミカルズ社製）を、ラウリン酸アミドプロピルベタイン液は、商品名  リカビオンＢ−３００（新日本理化社製）を、それぞれ用いた。
【００２４】
（試験例；洗浄剤組成物の評価）
実施例１〜７及び比較例１〜５で得た各試料を、専門パネラー１０名により、洗顔フォームとしての態様で、洗浄時の泡立ち（起泡性）、洗浄時乃至洗浄後の肌のつっぱり感のなさ、及び使用後の肌のさっぱり感を以下の評価基準に従って官能評価した。結果を表１〜２に示した。
＜評価基準＞
○：良好（１０名中８名以上が良いと回答）
△：普通（１０名中４〜７名が良いと回答）
×：不良（１０名中３名以下が良いと回答）
【００２５】
【表１】
2006169452.tif 000002
【００２６】
【表２】
2006169452.tif 000003
【００２７】
表１〜２の結果から、本発明に係る洗浄剤組成物は、起泡性に優れるとともに、洗浄時乃至洗浄後に肌のつっぱり感がなく、洗浄後はさっぱりとした使用感を得られることが分かる。
【００２８】
以下、本発明の洗浄剤組成物の処方例を示す。尚、配合量は重量％を示す。
（処方例１：半固形洗顔剤）
苦汁（業務用にがり−Ｃ）                      ０．１
ラウリン酸                                    ６．５
ミリスチン酸                                  ７．０
パルミチン酸                                  ４．５
ステアリン酸                                １０．０
グリセリン                                  １０．０
プロピレングリコール                          ３．５
Ｎ−ラウロイルメチルタウリンナトリウム        １．０
ラウリン酸アミドプロピルベタイン液（３０％）  ２．０
モノステアリン酸グリセリル                    １．５
水酸化カリウム                                ６．２
防腐剤                                        適  量
キレート剤                                    適  量
酸化防止剤                                    適  量
精製水                                        残  分
合    計                            １００．０
【００２９】
（処方例２：液体ボディシャンプー）
苦汁（業務用にがり−Ｃ）                      ０．１
ラウリン酸                                    ５．０
ミリスチン酸                                  ７．０
プロピレングリコール                          ４．０
ラウリルジメチルアミノ酢酸ベタイン          １０．０
水酸化カリウム                                ３．６
亜硫酸ソーダ                                  ０．０３
防腐剤                                        適  量
キレート剤                                    適  量
酸化防止剤                                    適  量
精製水                                        残  分
合    計                            １００．０
【産業上の利用可能性】
【００３０】
本発明の洗浄剤組成物は、起泡性に優れるとともに、洗浄時乃至洗浄後に皮膚のつっぱり感がなく、しかも使用後はさっぱりとした使用感を得ることができるという効果を奏する。また、皮膚刺激性や皮膚のつっぱり感が低いことから、皮膚用洗浄剤に好適に用いることができる。更には、半固形状の洗浄剤組成物にすることにより、洗顔剤に好適に用いることもできる。